(57)【要約】      （修正有）【課題】本発明は、各個人が自己防衛策として偽札を受け取らないようにするための対策である。【解決手段】本発明は、ショッピングなどで紙幣のやり取りをする時、受け取った紙幣を本発明による紙幣真贋判別機能つき財布の二種類のＬＥＤの光を日本紙幣、海外紙幣それぞれに応じて照射し、紙幣に表出する図柄を目視により、真贋判別するものである。日本を含む、世界数カ国（円、ドル、ユーロ、ウォン、元、ペソ圏）の紙幣の真贋判別が出来るように青色系ＬＥＤおよび紫外線を含む紫色ＬＥＤの光照明具を財布に取り付けたものである。また、財布（主に札入れ）を閉じたままの状態で紙幣の判別が出来るようにしたものであり、財布（主に札入れ）内部に取り付けた前記した各ＬＥＤの光が直接に紙幣に照射されるよう、各ＬＥＤを配置するとともに、財布に光の通過する穴を設けたものである。【選択図】図１１
2006280873.tif 000002
【特許請求の範囲】
【請求項１】
紙幣の真贋判別のため波長４３０ｎｍから４８８ｎｍの青色系ＬＥＤと紫外線を含む紫色ＬＥＤの照明具を財布に取り付けたものであり、さらに、前記した各ＬＥＤは一組セットにしたものおよび、必要に応じて別々にして取り付けるものであり、取り付け位置は限定するものではないが、各ＬＥＤの光が判別する紙幣に直接、照射できるように配置したものであり、財布の内部に取り付ける場合は、各ＬＥＤの光が財布の外に射出するように必要に応じ、光の通過穴を財布に設けたものである。また、前記した照明具の最大厚みを１５ミリ以下にしたものである。
以上の様な構造のものである
【発明の詳細な説明】
【技術分野】
【０００１】財布に紙幣判別機能を組み込むことに関する
【背景技術】
【０００２】機能つき財布として二種類のＬＥＤ（青色系ＬＥＤと紫外線を含む紫色ＬＥＤ）を財布に取り付け、各ＬＥＤの照射光により、円、ドル、ユーロ、元、ウォン、ペソなどの紙幣を目視で判別できるような機能付の財布はこれまでに無いものである。
【発明の開示】
【発明が解決しようとする課題】
【０００３】偽札を使用することは犯罪であり、偽札と知らずに使用してもその場で発見されれば、大きなトラブルに巻き込まれることになる。特に海外旅行などにおいては、外国の紙幣に慣れておらず、言葉も通じにくいため、偽札を自分の財布に紛れ込ませないようにする自己防衛対策が必要である。本発明は、手にした紙幣を財布に入れる前に紙幣の真贋判別が出来るようにするものであり、日本銀行券の新札紙幣（円）と海外の紙幣（ドル、ユーロ、ウォン、元、ペソなど）を判別することができる紙幣真贋判別機能つき財布を提供する。
【課題を解決するための手段】
【０００４】日本紙幣の場合、弐千円札以降の全種新札紙幣の表裏には、複数の共通した紋様（直径２〜３ｍｍ程）があり、前記した紋様の中心部には極めて不鮮明な直径１ｍｍ程の円輪が印刷されている。この紋様の周辺に青色系ＬＥＤ（波長４３０ｎｍから４８８ｎｍ）の光を照射し、前記紋様の中に表出する直径１ｍｍ程の円輪で目視判別ができ、海外の紙幣（ドル、ユーロ、ウォン、元、ペソなど）の場合、紫外線を含む紫色ＬＥＤで紫外線に反応する印刷部の図柄検出により目視判別ができる。前記した青色系ＬＥＤと紫外線を含む紫色ＬＥＤの照明具を財布（主に札入れ）に取り付けるものである。
【発明の効果】
【０００５】本発明により、暗がり、夜間、人ごみの多い場所などにおける紙幣のやり取りの際、目視で瞬時に紙幣の真贋が判別できる為、偽札を掴まされることがない。よって、海外などにおいても自己防衛が出来、大きなトラブルに巻き込まれない。
【発明を実施するための最良の形態】財布（主に札入れ）を閉じたままの状態で紙幣の判別が出来るようにして、財布（主に札入れ）内部に取り付けた前記した各ＬＥＤの光が直接、紙幣に照射されるよう各ＬＥＤを配置するとともに、必要に応じて財布に光の通過する穴を設ける。
【実施例】
【０００６】次に、本発明の具体的な実施方法を説明する。
ショッピングなどで紙幣のやり取りをする時、受け取った紙幣を本発明による紙幣真贋判別機能つき財布のＬＥＤの光を照射して、紙幣に表出する図柄を目視により、真贋判別するものである。
【産業上の利用可能性】財布だけに限らず、小物バッグ、ポーチなどの手提げバッグ用品にも同様の機能を付加させることにより、皮革加工製造業に新たなる需要を喚起することになる。
偽札問題は世界各国に共通した問題であり、本発明の紙幣真贋判別機能つき財布は円、ドル、ユーロ、ウォン、元、ペソ圏などに対応できるため、その販路は膨大である。
本発明に使用される前記した各ＬＥＤは、それぞれを一組にセットしたものでもあるため、そのようなセット化商品はそれだけでも小型の紙幣目視判別具となるものであり、国際的に多くの需要が見込まれるものである。
【図面の簡単な説明】
【０００７】
【図１】は本発明のＬＥＤ照明具内蔵式の長財布を広げた状態の外側の正面図である。
【図２】は同財布を広げた状態の内側の正面図である。
【図３】は本発明のＬＥＤ照明具内蔵式の半折れ財布を広げた状態の外側の正面図である。
【図４】は同半折れ財布を広げた状態の内側の正面図である。
【図５】は本発明のＬＥＤ照明具単独スイッチ式の長財布を広げた状態の外側の正面図である。
【図６】は図５の長財布に内蔵するＬＥＤ照明具単独スイッチ式のカートリッジの正面図である。
【図７】は図５の長財布に図６のＬＥＤ照明具のカートリッジを内蔵した状態を示す同財布の内側の正面図である。
【図８】は本発明の単独スイッチ式ＬＥＤ照明具の半折れ財布を広げた状態の外側の正面図である。
【図９】は図８の半折れ財布に内蔵する単独スイッチ式ＬＥＤ照明具のカートリッジの正面図である。
【図１０】は図８の半折れ財布に図９のＬＥＤ照明具のカートリッジを内蔵した状態を示す同財布の内側の正面図である。
【図１１】は本発明の長財布で新千円札に光を照射した状態を示す図である。
【図１２】は本発明の半折れ財布で新千円札に光を照射した状態を示す図である。
【符号の説明】
【０００８】  １は本発明のＬＥＤ照明具内蔵式の長財布に設けたＬＥＤの光が通過する穴である。
２は本発明のＬＥＤ照明具内蔵式の長財布に設けた照明具のスイッチであり、Ｊは日本紙幣用でＷは海外紙幣用（ドル、ユーロ、元、ウォン、ペソなど）の印である。
３はＬＥＤの光が通過する穴である。
４は内蔵されたＬＥＤである。
５は同財布に取り付けたボタン電池である。
６は同ボタン電池のカバーであり、カバーを開いた状態である。
７は同ボタン電池をセットした状態である。
８は本発明のＬＥＤ照明具内蔵式の半折れ財布に設けた照明具のスイッチであり、Ｊは日本紙幣用でＷは海外紙幣用（ドル、ユーロ、元、ウォン、ペソなど）の印である。
９は内蔵されたＬＥＤである。
１０は同財布に取り付けたボタン電池をセットした状態である。
１１は本発明の単独スイッチ式ＬＥＤ照明具の長財布に設けたＬＥＤの光の通過する穴である。
１２は本発明の単独スイッチ式ＬＥＤ照明具の長財布に設けた照明具のスイッチ部分に当たるところであり、Ｊは日本紙幣用でＷは海外紙幣用（ドル、ユーロ、元、ウォン、ペソなど）の印である。
１３は単独スイッチ式ＬＥＤ照明具のＬＥＤである。
１４は単独スイッチ式ＬＥＤ照明具の本体である。
１５は単独スイッチ式ＬＥＤ照明具のスイッチである。
１６は単独スイッチ式ＬＥＤ照明具を固定するカートリッジ本体である。
１７は単独スイッチ式ＬＥＤ照明具のＬＥＤの光が通過する穴である。
１８は単独スイッチ式ＬＥＤ照明具のカートリッジを財布にセットした状態のＬＥＤである。
１９は単独スイッチ式ＬＥＤ照明具のＬＥＤである。
２０は単独スイッチ式ＬＥＤ照明具の本体である。
２１は単独スイッチ式ＬＥＤ照明具のスイッチである。
２２は単独スイッチ式ＬＥＤ照明具を固定するカートリッジ本体である。
２３は単独スイッチ式ＬＥＤ照明具のカートリッジを財布にセットした状態のＬＥＤである。
２４は単独スイッチ式ＬＥＤ照明具の半折れ財布に設けた照明具のスイッチ部分に当たるところであり、Ｊは日本紙幣用でＷは海外紙幣用（ドル、ユーロ、元、ウォン、ペソなど）の印である。
２５は本発明による財布で新千円札の判別ポイント部分に光を照射した状態である。
２６は照射部分を拡大したものである。
【図１】
2006280873.tif 000003
【図２】
2006280873.tif 000004
【図３】
2006280873.tif 000005
【図４】
2006280873.tif 000006
【図５】
2006280873.tif 000007
【図６】
2006280873.tif 000008
【図７】
2006280873.tif 000009
【図８】
2006280873.tif 000010
【図９】
2006280873.tif 000011
【図１０】
2006280873.tif 000012
【図１１】
2006280873.tif 000013
【図１２】
2006280873.tif 000014